(57)【要約】【課題】表示コントラストが良好で、且つ、偏光レンズを備えたサングラスを着用した人でも表示光を視認できる有機ＥＬ表示装置を提供する。【解決手段】有機ＥＬパネル２０は、第一電極と発光層と第二電極とを基板に積層形成したものである。円偏光板２１は、直線偏光板４２及び複屈折板４３を有し、有機ＥＬパネル２０の前面側に設けられる。直線偏光板４２は、有機ＥＬパネル２０の長手方向に対して３０°〜９０°の偏光軸４２Ａを有する。複屈折板４３は、偏光軸４２Ａに対して４０°〜５０°の遅相軸４３Ａを有する。【選択図】　図８
2004006248.tif 000002
【特許請求の範囲】
【請求項１】
少なくとも第一電極と発光層と第二電極とを基板に積層形成した有機ＥＬパネルと、直線偏光板及び複屈折板を有し前記有機ＥＬパネルの前面側に設けられた円偏光板と、を有する有機ＥＬ表示装置であって、前記直線偏光板は、前記有機ＥＬパネルの横方向に対して３０°〜９０°の偏光軸を有することを特徴とする有機ＥＬ表示装置。
【請求項２】
前記複屈折板は、前記偏光軸に対して４０°〜５０°の遅相軸を有することを特徴とする請求項１に記載の有機ＥＬ表示装置。
【請求項３】
前記円偏光板に対向する傾斜部を有する透光性カバーを設けたことを特徴とする請求項１に記載の有機ＥＬ表示装置。
【発明の詳細な説明】
【０００１】
【発明の属する技術分野】
本発明は、有機エレクトロルミネッセンスパネル（以下、有機ＥＬパネルと記す）を用いた有機ＥＬ表示装置に関するものである。
【０００２】
【従来の技術】
従来より、有機ＥＬパネルが種々提案されており、例えば特許文献１に開示されている。有機ＥＬパネル１は、透光性基板に透明電極，有機層，背面電極を順次積層形成したものであり、前記有機層は正孔注入層，正孔輸送層，発光層及び電子輸送層を有している。有機ＥＬパネル１は透明電極と背面電極とに駆動電圧を印加することにより、発光層が発光し表示光が発せられる。有機ＥＬパネル１の前面には円偏光板２を貼着して、表示コントラストを向上させている。円偏光板２は直線偏光板３及び複屈折板４からなるものであり、直線偏光板３は水平方向の偏光軸３Ａ、複屈折板４は水平方向に対して４５°の遅相軸４Ａを夫々有している。なお、複屈折板４は、１／４波長板と称されることもある。
【０００３】
【特許文献１】
特許第２７６１４５３号公報
【０００４】
【発明が解決しようとする課題】
しかしながら、偏光レンズ５を備えたサングラス６を着用している人は、表示光を視認できないという問題があった。つまり、直線偏光板３を通過した表示光は水平方向の偏光になっているが、サングラス６の偏光レンズ５の偏光軸５Ａは垂直方向であるため、水平方向の偏光である表示光は遮られてしまう。
本発明は、この問題に鑑みなされたものであり、表示コントラストが良好で、且つ、偏光レンズを備えたサングラスを着用した人でも表示光を視認できる有機ＥＬ表示装置を提供するものである。
【０００５】
【課題を解決するための手段】
本発明は、前記課題を解決するため、少なくとも第一電極２６と発光層と第二電極２９とを基板２５に積層形成した有機ＥＬパネル２０と、直線偏光板４２及び複屈折板４３を有し前記有機ＥＬパネル２０の前面側に設けられた円偏光板２１と、を有する有機ＥＬ表示装置であって、前記直線偏光板４２は、前記有機ＥＬパネル２０の横方向に対して３０°〜９０°の偏光軸４２Ａを有するものである。
【０００６】
また、本発明は、前記複屈折板４３は、前記偏光軸４２Ａに対して４０°〜５０°の遅相軸４３Ａを有するものである。
【０００７】
また、本発明は、前記円偏光板２１に対向する傾斜部１０ａを有する透光性カバー１０を設けたものである。
【０００８】
【発明の実施の形態】
有機ＥＬ表示装置は、有機ＥＬパネル２０，円偏光板２１及び透光性カバー２０を有している。有機ＥＬパネル２０は、第一電極２６と有機層２８と第二電極２９とを基板２５に積層形成したものである。円偏光板２１は、直線偏光板４２及び複屈折板４３を有し、有機ＥＬパネル２０の前面側に設けられる。透光性カバー２０は、円偏光板２１に対向する傾斜部１０ａを有し、円偏光板２１の前方に配置される。直線偏光板４２は、有機ＥＬパネル２０の長手方向に対して３０°〜９０°の偏光軸４２Ａを有する。複屈折板４３は、直線偏光板４２の偏光軸４２Ａに対して４０°〜５０°の遅相軸を有する。
【０００９】
【実施例】
以下、添付の図面に基づいて、本発明を車両用表示装置に適用した一実施例を説明する。
８はハウジングであり、このハウジング８には後述する指示計器が収容されている。９は見返し部材であり、この見返し部材９は係止爪（図示しない）によりハウジング８に係止されている。
【００１０】
１０は透光性カバーであり、この透光性カバー１０は湾曲部１０ａ及びリブ部１０ｂを有している。透光性カバー１０はアクリル，ポリカーボネート等の透光性樹脂からなるものであり、半透過性になっている。この半透過性の透光性カバー１０はスモークカバーと称されることもある。透光性カバー１０は、リブ部１０ｂに設けられた係止爪（図示しない）により見返し部材９に係止されている。
透光性カバー１０の湾曲部１０ａは、傾斜角度が漸次異なる湾曲した形状となっており、後述する指示計器側に凸となっている。
【００１１】
ハウジング８には４個の指示計器、即ち、燃料計１１ａ，速度計１１ｂ，回転計１１ｃ，水温計１１ｄが収納されている。速度計１１ｂ及び回転計１１ｃは、燃料計１１ａ及び水温計１１ｄよりも大きくなっており、燃料計１１ａ及び水温計１１ｄの間に配置されている。見返し部材９は、燃料計１１ａ，速度計１１ｂ，回転計１１ｃ，水温計１１ｄに対応する円形の開口９ａ，９ｂ，９ｃ，９ｄを有している。
【００１２】
各指示計器１１ａ，１１ｂ，１１ｃ，１１ｄは、文字板１２，バルブ１３，導光部材１４，指針１５，ステッピングモータ１６及び回路基板１７を有している。文字板１２はポリカーボネート等の樹脂からなる透光性基板に、指標部１８に透過性インクからなる半透過層を印刷形成し、指標部１８を除いて黒色インクからなる遮光層を印刷形成したものである。バルブ１３及び導光部材１４は文字板１２の後方に配置されており、指標部１８はバルブ１３の光により透過照明される。指針１５はステッピングモータ１６により回動され、文字板１２の指標部１８を指示する。バルブ１３の光は導光部材１４の反射面１４ａにより指針１５に導かれ、指針１５の指示部１９が光輝する。
【００１３】
２０は有機ＥＬパネルであり、この有機ＥＬパネル２０は速度計１１ｂの文字板１２の後方に配設されている。２１は円偏光板であり、この円偏光板２１は有機ＥＬパネル２０の前面に貼着されている。文字板１２には矩形の開口１２ａが形成されており、有機ＥＬパネル２０及び円偏光板２１は開口１２ａに対応する位置に配置されている。有機ＥＬパネル２０が発した表示光は、円偏光板２１及び透光性カバー１０を通過して運転者に達する。２２はケース体であり、このケース体２２で有機ＥＬパネル２０が保持されている。２３は可撓性配線部材であり、この可撓性配線部材２３によって有機ＥＬパネル２０の電極を回路基板１７のコネクタ２４に接続している。
【００１４】
次に、図３乃至図５に基いて、有機ＥＬパネル２０について詳述する。有機ＥＬパネル２０は、ガラス基板２５（基板）の後面に、ＩＴＯからなる透明電極２６（第一電極），絶縁層２７，有機層２８，アルミニウム（Ａｌ）等からなる背面電極２９（第二電極）を順次積層したものであり、背面電極２９の後側には封止ガラス３０が配設されている。封止ガラス３０は、紫外線硬化型の接着剤でガラス基板２５に固着されている。有機層２８は、少なくとも発光層があれば良いが、ホール輸送層，電子輸送層等があっても良い。
【００１５】
有機ＥＬパネル２０は、正面視で横長の長方形になっており、数値表示部３１及び単位表示部３２を有している。数値表示部３１は、日字形に配設された表示セグメント３３からなる６桁の数字表示部３４からなるものである。
透明電極２６は、リード部３４と、リード部３４の一端と連なるセグメント部３５と、リード部３４の他端と連なる陽極端子部３６と、陰極端子部３７とを有している。セグメント部３５は日字形に配設されており、このセグメント部３５に各々リード部３４が連設されている。リード部３４はガラス基板２５の一辺側に引き回されており、陽極端子部３６が連設されている。陽極端子部３６及び陰極端子部３７はガラス基板２５の一辺側に列状に配置されている。
【００１６】
絶縁層２７は、透明電極２６のセグメント部３５の周縁部と若干重なるように形成されており、表示セグメント３３に対応する箇所を除いて、ガラス基板２５の略全範囲に設けられている。背面電極２９はガラス基板２５の略全範囲に設けられており、陰極端子部３７に接続されている。
【００１７】
次に、図６乃至図８に基いて円偏光板２１について詳述する。円偏光板２１は、直線偏光板４２と、複屈折板４３とからなるものである。直線偏光板４２は、６０°の偏光軸４２Ａを有し、複屈折板４３は１５°の遅相軸４３Ａを有している（図８参照）。つまり、複屈折板４３は、偏光軸４２Ａに対して４５°の遅相軸４３Ａを有している。
【００１８】
外光ａ１は直線偏光板２２を通過して６０°の直線偏光ａ２となり、更に複屈折板４３を通過して右円偏光ａ３となる。そして、有機ＥＬパネル２０の背面電極２９により前向きに反射され左円偏光ａ４となり、複屈折板２１を通過して１５０°の直線偏光ａ５となる。直線偏光ａ５は、偏光軸４２Ａに直交しているため、直線偏光板４２を通過することができない。従って、外光ａ１が有機ＥＬパネル２０に入射し背面電極２９により反射されても直線偏光板４２により遮られる（図６参照）。表示光は直線偏光板４２を通過して、６０°の直線偏光になる（図７参照）。なお、上述した偏光軸４２Ａ，遅相軸４３Ａ，直線偏光ａ２，ａ５の角度は、Ｘ軸（有機ＥＬパネル２０の横方向）を基準とするものである。
【００１９】
本実施例は、有機ＥＬパネル２０の前面に円偏光板２１を設けたことにより、表示コントラストを向上させることができる。且つ、６０°の偏光軸４２Ａを有する直線偏光板４２を用いたことにより、偏光レンズ４４を備えたサングラス４５を着用している人も、若干の輝度低下があるが、表示光を視認できる。
【００２０】
なお、本実施例は、６０°の偏光軸４２Ａを有する直線偏光板４２を用いたものであるが、偏光軸４２Ａが３０°〜９０°であれば、偏光レンズ４４を備えたサングラス４５を着用している人も、表示光を視認できる。また、複屈折板４３の遅相軸４３Ａは、偏光軸４２Ａに対して４０°〜５０°であれば実用上なんら問題はないが、偏光軸４２Ａに対して４５°であることが望ましく、輝度が低下しない。また、直線偏光板４２に微細な凹凸を形成しても良く、外光ａ１が直線偏光板４２で反射されることを防止できる。
【００２１】
次に、直線偏光板の偏光軸の角度と、表示光の輝度との関係について説明する。図９は本願の発明者が行った実験の試験装置の概略構成を示すものであり、１２０は有機ＥＬパネル、１２１は円偏光板、１１０は透光性板状部材、１３０は輝度計である。
【００２２】
有機ＥＬパネル１２０は、有機ＥＬパネル２０に相当するものであるが、有機ＥＬパネル２０のような数値表示部３１及び単位表示部３２は無く、長方形の発光部を有している。円偏光板１２１は、円偏光板２１に相当するものであり、有機ＥＬパネル１２０の前面に貼着されている。円偏光板１２１は、直線偏光板１４２及び複屈折板１４３を有しており、有機ＥＬパネル１２０の長手方向に対して、直線偏光板１４２の偏光軸の角度は０°、複屈折板１４３の遅相軸の角度は４５°になっている。
【００２３】
透光性板状部材１１０は、透光性カバー１０に相当するものであるが、平板形状になっている。透光性板状部材１１０は、無色のアクリルまたはポリカーボネート等の透光性樹脂からなるものであり、前後方向に傾斜して配置されている。つまり、透光性板状部材１１０は、法線１１０ａがＸＹ平面に対して所定の角度Ｈ（例えば４５°）を有するように傾斜配置されている。輝度計１３０は、透光性板状部材１１０を透過した表示光Ｌ２の輝度を測定する。
【００２４】
上述の試験装置を用いた実験では、有機ＥＬパネル１２０をＺ軸回りに回転させ、直線偏光板１４２の偏光軸の角度を漸次変化させながら、透光性板状部材１１０を透過した表示光Ｌ２の輝度を測定した。図１０はその実験結果を示すものであり、偏光軸の角度に応じて輝度が高くなる略Ｓ字状曲線の輝度データが得られた。つまり、直線偏光板１４２の偏光軸の角度が大きいほど、透光性板状部材１１０で反射される光Ｌ３が少なくなり、透光性板状部材１１０を透過する表示光Ｌ２の輝度が高くなる。
【００２５】
従って、円偏光板２１に対向する個所が前後方向に傾斜している透光性カバー１０を有する車両用表示装置では、直線偏光板４２の偏光軸４２Ａの角度は４５°以上であることが望ましく、６０°以上であることが更に望ましい。
【００２６】
【発明の効果】
本発明は、少なくとも第一電極と発光層と第二電極とを有する積層体を基板に形成した有機ＥＬパネルと、直線偏光板及び複屈折板を有し前記有機ＥＬパネルの前面側に設けられた円偏光板と、を有する有機ＥＬ表示装置であって、前記直線偏光板は、前記有機ＥＬパネルの横方向に対して３０°〜９０°の偏光軸を有するものであり、偏光レンズを備えたサングラスを着用している人も表示光を視認できる。
【図面の簡単な説明】
【図１】本発明の実施例を示す車両用表示装置の正面図。
【図２】同上実施例を示す車両用表示装置の断面図。
【図３】同上実施例を示す有機ＥＬパネルの正面図。
【図４】同上実施例を示す有機ＥＬパネルの拡大図。
【図５】同上実施例を示す有機ＥＬパネルの分解斜視図。
【図６】同上実施例を示す円偏光板の作用説明図。
【図７】同上実施例を示す円偏光板の作用説明図。
【図８】同上実施例を示す円偏光板の分解正面図。
【図９】実験装置の概略構成図。
【図１０】偏光軸の角度と輝度の関係を示す図。
【図１１】従来例を示す有機ＥＬ表示装置の分解斜視図。
【符号の説明】
２０　　有機ＥＬパネル
２１　　円偏光板
２６　　透明電極（第一電極）
２９　　背面電極（第二電極）
４２　　直線偏光板
４２Ａ　偏光軸
４３　　複屈折板
４３Ａ　遅相軸
【図１】
2004006248.tif 000003
【図２】
2004006248.tif 000004
【図３】
2004006248.tif 000005
【図４】
2004006248.tif 000006
【図５】
2004006248.tif 000007
【図６】
2004006248.tif 000008
【図７】
2004006248.tif 000009
【図８】
2004006248.tif 000010
【図９】
2004006248.tif 000011
【図１０】
2004006248.tif 000012
【図１１】
2004006248.tif 000013